(57)【要約】【課題】水冷媒熱交換器で熱交換した後の湯水の温度を検出する温度センサ自体に故障があった場合でも、応急的に沸き上げ運転を行えるヒートポンプ式給湯機を提供する。【解決手段】沸き上げ温度検出手段２５の検出温度が沸き上げ目標温度になるように沸き上げ運転を行う制御手段２６を備え、沸き上げ温度検出手段２５自体の故障か否かを判定する故障判定手段２７と、沸き上げ運転の際に沸き上げ運転安定時の圧縮機１４の回転数、循環ポンプ２０の回転数、冷媒吐出温度の各々の値を記憶する動作状態記憶手段２８とを設け、故障判定手段２７により沸き上げ温度検出手段２５自体が故障していると判定された後に沸き上げ運転が行われる場合、制御手段２６は、動作状態記憶手段２８に記憶された値に基づいて貯湯タンク２内の湯水を沸き上げる代替沸き上げ運転を行うことで、応急的に沸き上げ運転を行え、貯湯タンク２に湯がないという事態を回避することができる。【選択図】図３
2011153790.tif 000002
【特許請求の範囲】
【請求項１】
圧縮機、水冷媒熱交換器、膨張弁、空気熱交換器を冷媒配管で環状に接続したヒートポンプ回路を有するヒートポンプユニットと、湯水を貯湯する貯湯タンクと、該貯湯タンクと前記水冷媒熱交換器の水側とを湯水配管で環状に接続した循環回路と、該循環回路途中に設けた循環ポンプと、前記圧縮機から吐出された冷媒の吐出温度を検出する吐出温度検出手段と、前記水冷媒熱交換器で熱交換した後の湯水の沸き上げ温度を検出する沸き上げ温度検出手段と、該沸き上げ温度検出手段の検出温度が沸き上げ目標温度になるように前記ヒートポンプユニットおよび前記循環ポンプを制御して前記貯湯タンク内の湯水を沸き上げる沸き上げ運転を行う制御手段とを備えたヒートポンプ式給湯機において、前記沸き上げ温度検出手段の検出温度に基づいて前記沸き上げ温度検出手段自体の故障か否かを判定する故障判定手段と、前記沸き上げ運転の際に沸き上げ運転安定時の前記圧縮機の回転数、前記循環ポンプの回転数、前記吐出温度の各々の値を記憶する動作状態記憶手段とを設け、前記故障判定手段により前記沸き上げ温度検出手段自体が故障していると判定された後に前記沸き上げ運転が行われる場合、前記制御手段は、前記動作状態記憶手段に記憶された値に基づいて前記貯湯タンク内の湯水を沸き上げる代替沸き上げ運転を行うようにしたことを特徴とするヒートポンプ式給湯機。
【請求項２】
前記制御手段は、前記動作状態記憶手段に記憶された前記圧縮機の回転数を目標値として前記圧縮機を制御すると共に、前記動作状態記憶手段に記憶された前記循環ポンプの回転数を目標値として前記循環ポンプを制御し、さらに、前記吐出温度検出手段で検出する冷媒の吐出温度が前記動作状態記憶手段に記憶された吐出温度になるように膨張弁の開度を制御して、前記代替沸き上げ運転を行うようにしたことを特徴とする請求項１記載のヒートポンプ式給湯機。
【請求項３】
請求項２記載のヒートポンプ式給湯機において、前記水冷媒熱交換器で熱交換した後の冷媒の出口温度を検出する冷媒出口温度検出手段を設け、前記動作状態記憶手段は前記沸き上げ運転安定時の前記出口温度の値を記憶し、前記制御手段は、前記代替沸き上げ運転安定時に、前記冷媒出口温度検出手段で検出する冷媒の出口温度が前記動作状態記憶手段に記憶された出口温度になるように前記目標値で回転する前記循環ポンプの回転数を増減制御するようにしたヒートポンプ式給湯機。             
【請求項４】
請求項１から３の何れか一項に記載のヒートポンプ式給湯機において、外気温度を検出する外気温度検出手段と、前記水冷媒熱交換器で熱交換する前の湯水の入水温度を検出する入水温度検出手段とを設け、前記動作状態記憶手段は前記沸き上げ運転の際に沸き上げ運転安定時の前記外気温度および入水温度の値を記憶し、前記制御手段は、前記代替沸き上げ運転開始時または前記代替沸き上げ運転中に、前記外気温度検出手段の検出する外気温度または前記入水温度検出手段の検出する入水温度が、前記動作状態記憶手段に記憶された値より所定温度以上高い場合は前記代替沸き上げ運転を停止するようにしたヒートポンプ式給湯機。
【発明の詳細な説明】
【技術分野】
【０００１】
本発明は、ヒートポンプ式給湯機に関するものである。
【背景技術】
【０００２】
従来よりこの種のヒートポンプ式給湯機においては、圧縮機から吐出される高温の冷媒と貯湯タンクからの湯水とを水冷媒熱交換器で熱交換させて貯湯タンク内の湯水を沸き上げる沸き上げ運転を行い、水冷媒熱交換器の出口に設けられた温度センサで検出される湯水の温度が設定された沸き上げ目標温度になるように沸き上げ運転を制御するようにしている。（例えば、特許文献１参照）。
【０００３】
また、特許文献１に挙げたようなヒートポンプ式給湯機では、一般的に、水冷媒熱交換器の出口で温度センサにより検出される湯水の温度が、予め設定された温度範囲を超えて異常高温等の異常温度を検出した場合には、エラー報知され沸き上げ運転を停止するようにしている。
【先行技術文献】
【特許文献】
【０００４】
【特許文献１】特開２００９−２５０４６５号公報
【発明の概要】
【発明が解決しようとする課題】
【０００５】
ところで、沸き上げ運転中に温度センサで検出される湯水の温度が段階的に上昇していき異常高温になるというように異常温度を検出する場合は、沸き上げ運転を停止する必要があるが、沸き上げ運転停止中や沸き上げ運転を開始する時に、前記温度センサが異常温度を検出した場合は、断線・ショートによる温度センサ自体の故障が疑われ、この場合は、圧縮機や膨張弁等の機能部品には異常がないため、沸き上げ運転が可能であるにも関わらず停止状態となり、貯湯タンク内の湯水を沸き上げることができないことになる。特に、夜になって深夜時間帯の沸き上げ運転が行われる前に、温度センサ自体が故障した場合は、深夜時間帯になっても沸き上げ運転が行われないため、朝になって貯湯タンクに湯がほとんどなく、ユーザに不便な思いをさせるという問題を有するものであった。
【０００６】
そこで、本発明は、沸き上げ運転が開始される前に水冷媒熱交換器の出口の湯水の温度を検出する温度センサ自体に故障があった場合でも、応急的に沸き上げ運転を行い、貯湯タンクに湯がほとんどないという事態を回避することができるヒートポンプ式給湯機を提供することを目的とするものである。
【課題を解決するための手段】
【０００７】
本発明は上記課題を解決するために、請求項１では、圧縮機、水冷媒熱交換器、膨張弁、空気熱交換器を冷媒配管で環状に接続したヒートポンプ回路を有するヒートポンプユニットと、湯水を貯湯する貯湯タンクと、該貯湯タンクと前記水冷媒熱交換器の水側とを湯水配管で環状に接続した循環回路と、該循環回路途中に設けた循環ポンプと、前記圧縮機から吐出された冷媒の吐出温度を検出する吐出温度検出手段と、前記水冷媒熱交換器で熱交換した後の湯水の沸き上げ温度を検出する沸き上げ温度検出手段と、該沸き上げ温度検出手段の検出温度が沸き上げ目標温度になるように前記ヒートポンプユニットおよび前記循環ポンプを制御して前記貯湯タンク内の湯水を沸き上げる沸き上げ運転を行う制御手段とを備えたヒートポンプ式給湯機において、前記沸き上げ温度検出手段の検出温度に基づいて前記沸き上げ温度検出手段自体の故障か否かを判定する故障判定手段と、前記沸き上げ運転の際に沸き上げ運転安定時の前記圧縮機の回転数、前記循環ポンプの回転数、前記吐出温度の各々の値を記憶する動作状態記憶手段とを設け、前記故障判定手段により前記沸き上げ温度検出手段自体が故障していると判定された後に前記沸き上げ運転が行われる場合、前記制御手段は、前記動作状態記憶手段に記憶された値に基づいて前記貯湯タンク内の湯水を沸き上げる代替沸き上げ運転を行うようにした。
【０００８】
また、請求項２では、前記制御手段は、動作状態記憶手段に記憶された前記圧縮機の回転数を目標値として前記圧縮機を制御すると共に、前記動作状態記憶手段に記憶された前記循環ポンプの回転数を目標値として前記循環ポンプを制御し、さらに、前記吐出温度検出手段で検出する冷媒の吐出温度が前記動作状態記憶手段に記憶された吐出温度になるように膨張弁の開度を制御して、前記代替沸き上げ運転を行うようにした。
【０００９】
また、請求項３では、請求項２記載のヒートポンプ式給湯機において、前記水冷媒熱交換器で熱交換した後の冷媒の出口温度を検出する冷媒出口温度検出手段を設け、前記動作状態記憶手段は前記沸き上げ運転安定時の前記出口温度の値を記憶し、前記制御手段は、前記代替沸き上げ運転安定時に、前記冷媒出口温度検出手段で検出する冷媒の出口温度が前記動作状態記憶手段に記憶された出口温度になるように前記目標値で回転する前記循環ポンプの回転数を増減制御するようにした。
【００１０】
また、請求項４では、請求項１から３の何れか一項に記載のヒートポンプ式給湯機において、外気温度を検出する外気温度検出手段と、前記水冷媒熱交換器で熱交換する前の湯水の入水温度を検出する入水温度検出手段とを設け、前記動作状態記憶手段は前記沸き上げ運転の際に沸き上げ運転安定時の前記外気温度および入水温度の値を記憶し、前記制御手段は、前記代替沸き上げ運転開始時または前記代替沸き上げ運転中に、前記外気温度検出手段の検出する外気温度または前記入水温度検出手段の検出する入水温度が、前記動作状態記憶手段に記憶された値より所定温度以上高い場合は前記代替沸き上げ運転を停止するようにした。
【発明の効果】
【００１１】
この発明の請求項１によれば、沸き上げ温度検出手段自体が故障していると判定された場合は、沸き上げ温度検出手段が故障する前の沸き上げ運転安定時に動作状態記憶手段に記憶した値に基づいて代替沸き上げ運転を行うことで、応急的に沸き上げ運転を行うことができ、貯湯タンクに湯がほとんどないという事態を回避することができ、ユーザに不便な思いをさせることがないものである。
【００１２】
また、請求項２によれば、沸き上げ温度検出手段自体が故障していると判定された場合、制御手段は沸き上げ温度検出手段が故障する前の沸き上げ運転安定時の動きに習って、圧縮機、膨張弁、循環ポンプを制御して代替沸き上げ運転を行うことで、応急的かつ円滑に沸き上げ運転を行うことができ、貯湯タンクに湯がほとんどないという事態を回避することができ、ユーザに不便な思いをさせることがないものである。
【００１３】
また、請求項３によれば、代替沸き上げ運転安定時に、冷媒出口温度検出手段で検出する冷媒の出口温度が動作状態記憶手段に記憶された出口温度になるように前記目標値で回転する前記循環ポンプの回転数を増減制御するようにしたことで、沸き上げ温度検出手段が故障する前の沸き上げ運転安定時の動きにより一層近づけて円滑に沸き上げ運転を行うことができるものである。
【００１４】
また、請求項４によれば、動作状態記憶手段に記憶した沸き上げ運転安定時の状態に近い場合にのみ代替沸き上げ運転を行い、その状態から離れた場合は代替沸き上げ運転を停止することで、器具に異常や故障等の不具合が生じる前に安全な状態で沸き上げ運転を終了することができるものである。
【図面の簡単な説明】
【００１５】
【図１】本発明の一実施形態の概略構成図。
【図２】同一実施形態の要部ブロック図。
【図３】同一実施形態の動作を説明するためのフローチャート。
【発明を実施するための形態】
【００１６】
次に、本発明の一実施形態のヒートポンプ式給湯機について図面に基づいて説明する。
【００１７】
１は湯水を貯湯する貯湯タンク２を内蔵する貯湯タンクユニット、３は貯湯タンク２内の湯水を加熱するヒートポンプユニット、４は貯湯タンク２の下部に接続された往き管５および貯湯タンク２の上部に接続された戻り管６よりなる循環回路、７は貯湯タンク２の下部に接続され貯湯タンク２に水を給水する給水管、８は貯湯タンク２の上部に接続され貯湯されている高温水を出湯する出湯管である。
【００１８】
９は給水管７から分岐された給水バイパス管、１０は出湯管８からの湯と給水バイパス管９からの水とを混合して給湯設定温度の湯とする混合弁、１１は混合弁１０で混合後の給湯温度を検出する給湯温度センサ、１２は貯湯タンク２の側面上下にわたり複数設けられ、貯湯タンク２内の湯水の温度を検出する貯湯温度センサ、１３は貯湯タンクユニット１内の各センサの出力を受けて各アクチュエータの作動を制御する貯湯制御手段である。
【００１９】
前記貯湯制御手段１３は、過去数日分の給湯量の最大値や平均値等の湯の使用実績から翌日の給湯量を予測し、予測した給湯量を確保できるように沸き上げ目標温度を６５℃から９０℃の範囲で決定するものであり、時間帯別契約電力の電力単価が安価な深夜時間帯になると、貯湯タンク２内の湯水が所定の沸き上げ目標温度になるようにヒートポンプユニット３で沸き上げる沸き上げ運転開始命令をヒートポンプユニット３側に指示するものである。
【００２０】
前記ヒートポンプユニット３は、冷媒を圧縮する回転数可変の圧縮機１４と、高温高圧の冷媒と貯湯タンク２内の湯水とを熱交換する水冷媒熱交換器１５と、水冷媒熱交換器１５通過後の冷媒を減圧させる減圧器としての膨張弁１６と、膨張弁１６からの低温低圧の冷媒を蒸発させる蒸発器としての空気熱交換器１７とを冷媒配管で環状に接続したヒートポンプ回路１８と、空気熱交換器１７に送風する室外ファン１９と、水冷媒熱交換器１５の水側と貯湯タンク２とを湯水配管で環状に接続した循環回路４途中に設けられ貯湯タンク２の湯水を循環させる回転数可変の循環ポンプ２０とを備えているものである。
【００２１】
２１は圧縮機１４と水冷媒熱交換器１５との間の冷媒配管に設けられ、圧縮機１４から吐出された冷媒の吐出温度を検出する吐出温度検出手段としての吐出温度センサ、２２は水冷媒熱交換器１５と膨張弁１６との間の冷媒配管に設けられ、水冷媒熱交換器１５で熱交換した後の冷媒の出口温度を検出する冷媒出口温度検出手段としての冷媒出口温度センサ、２３は空気熱交換器１７の空気入口側に設けられ、外気温度を検出する外気温度検出手段としての外気温度センサ、２４は水冷媒熱交換器１５の水側に流入し、水冷媒熱交換器１５で熱交換する前の湯水の入水温度を検出する入水温度検出手段としての入水温度センサ、２５は水冷媒熱交換器１５の水側から流出し、水冷媒熱交換器１５で熱交換した後の湯水の沸き上げ温度を検出する沸き上げ温度検出手段としての沸き上げ温度センサである。
【００２２】
２６はヒートポンプユニット３内の各センサの出力を受けて各アクチュエータの作動を制御する制御手段としての加熱制御手段で、貯湯制御手段１３と通信可能に接続され、貯湯制御手段１３と連携して作動するものである。
【００２３】
前記加熱制御手段２６には、深夜時間帯の沸き上げ運転停止中または沸き上げ運転開始時の沸き上げ温度センサ２５の検出温度に基づいて、沸き上げ温度センサ２５自体が故障しているか否かを判定し、沸き上げ温度センサ２５自体が故障していると判定した場合、エラー報知すると共に、沸き上げ運転を禁止しないようにする故障判定手段２７と、深夜時間帯の沸き上げ運転の際に、沸き上げ運転安定時、すなわち沸き上げ運転開始から所定時間経過後または沸き上げ温度センサ２５の検出する沸き上げ温度が沸き上げ目標温度に達している時の圧縮機１４の回転数、循環ポンプ２０の回転数、吐出温度センサ２１の検出する吐出温度、冷媒出口温度センサ２２の検出する出口温度、外気温度センサ２３の検出する外気温度、入水温度センサ２４の検出する入水温度の各々の値を記憶する動作状態記憶手段２８とが設けられているものであり、動作状態記憶手段２８は、深夜時間帯の沸き上げ運転毎に沸き上げ運転安定時の上記の各々の値を更新するものである。
【００２４】
次に、本実施形態の深夜時間帯における通常の沸き上げ運転、つまり沸き上げ温度センサ２５自体が故障していない状態での沸き上げ運転の動作について説明する。
電力料金単価の安価な深夜時間帯になると、貯湯制御手段１３は貯湯タンク２内の湯水が所定の沸き上げ目標温度になるようにヒートポンプユニット３で沸き上げる沸き上げ運転の開始を加熱制御手段２６へ指示する。そして、加熱制御手段２６は外気温度センサ２３で検出した外気温度に応じた回転数で圧縮機１４を制御すると共に、沸き上げ目標温度に応じて目標吐出温度を設定し、吐出温度センサ２１で検出する冷媒の吐出温度が目標吐出温度になるように膨張弁１６の開度を制御する。また、室外ファン１９も外気温度センサ２３で検出した外気温度に応じた予め設定された回転数で制御する。また同時に、加熱制御手段２６は沸き上げ温度センサ２５で検出する水冷媒熱交換器１５で加熱された湯水の温度が沸き上げ目標温度になるように循環ポンプ２０の回転数を制御することで、加熱制御手段２６は沸き上げ運転を行うものである。
【００２５】
そして、沸き上げ運転開始から所定時間経過した後の沸き上げ運転安定時に、動作状態記憶手段２８は、圧縮機１４の回転数、循環ポンプ２０の回転数、吐出温度センサ２１の検出する吐出温度、冷媒出口温度センサ２２の検出する出口温度、外気温度センサ２３の検出する外気温度、入水温度センサ２４の検出する入水温度の各々の値を記憶する。その後、沸き上げ運転が進行していくと、貯湯タンク２の下部の水がヒートポンプユニット３に循環され、貯湯タンク２の上部から沸き上げ目標温度に加熱された湯が積層貯湯される。貯湯タンク２内に必要な湯量または熱量が沸き上げられたことを貯湯温度センサ１２で検出するか、入水温度センサ２４で検出する湯水温度が沸き上げし難い所定の高温度以上を検出するか、または深夜時間帯が終了した時点で、貯湯制御手段１３は沸き上げ運転を停止すべく加熱制御手段２６に停止指示を出し、加熱制御手段２６は圧縮機１４と室外ファン１９と循環ポンプ２０の駆動を停止させ、沸き上げ運転を終了するものである。
【００２６】
次に、沸き上げ温度センサ２５自体が故障した後に深夜時間帯の沸き上げ運転が行われる際の動作を図３のフローチャートで説明する。
前記故障判定手段２７は、沸き上げ運転停止中または沸き上げ運転開始時の沸き上げ温度センサ２５の検出温度に基づいて、沸き上げ温度センサ２５自体が故障しているか否かを判定し（ステップＳ１）、沸き上げ温度センサ２５自体が故障していると判定したらエラー報知を行い、そして、加熱制御手段２６は貯湯制御手段１３から深夜時間帯の沸き上げ運転の開始指示があるか否か判断する（ステップＳ２）。
【００２７】
前記ステップＳ２で、加熱制御手段２６が貯湯制御手段１３から深夜時間帯の沸き上げ運転の開始指示ありと判断したら、沸き上げ温度センサ２５が故障する直前の深夜時間帯の沸き上げ運転安定時に動作状態記憶手段２８に記憶した値、つまり、圧縮機１４の回転数、循環ポンプ２０の回転数、吐出温度、出口温度、外気温度、入水温度の各々の値に基づいてヒートポンプユニット３および循環ポンプ２０を制御し貯湯タンク２内の湯水を沸き上げる代替沸き上げ運転を開始するものである（ステップＳ３）。
【００２８】
前記代替沸き上げ運転が開始されると、加熱制御手段２６は、動作状態記憶手段２８に記憶された圧縮機１４の回転数を目標値として圧縮機１４を制御すると共に、動作状態記憶手段２８に記憶された循環ポンプ２０の回転数を目標値として循環ポンプ２０を制御し、さらに、吐出温度センサ２１で検出する冷媒の吐出温度が動作状態記憶手段２８に記憶された吐出温度になるように膨張弁１６の開度を制御する。そして、加熱制御手段２８は代替沸き上げ運転安定時、すなわち、代替沸き上げ運転開始から所定時間経過後または吐出温度センサ２１で検出する冷媒の吐出温度が動作状態記憶手段２８に記憶された吐出温度に達した時には、冷媒出口温度センサ２２で検出する出口温度が動作状態記憶手段２８に記憶された出口温度になるように目標値で回転する循環ポンプ２０の回転数を増減制御し循環ポンプ２０の回転数を補正することで、沸き上げ温度センサ２５が故障する前の沸き上げ運転安定時の動きに、より一層近づけて円滑に沸き上げ運転を行うものである。
【００２９】
そして、加熱制御手段２６は、前記代替沸き上げ運転中に、外気温度センサ２３の検出する外気温度が動作状態記憶手段２８に記憶された外気温度の値より所定温度以上高くなったか否か判断、あるいは入水温度センサ２４の検出する入水温度が、前記動作状態記憶手段２８に記憶された入水温度の値より所定温度以上高くなったか否か判断し（ステップＳ４）、外気温度センサ２３の検出する外気温度または入水温度センサ２４の検出する入水温度が記憶値よりも所定温度（例えば５℃）以上高くなったと判断したら、圧縮機１４と室外ファン１９と循環ポンプ２０の駆動を停止させ、代替沸き上げ運転を停止し（ステップＳ５）、沸き上げ運転を終了するものである。
【００３０】
ここで、ステップＳ４の処理について補足する。
前記深夜時間帯の沸き上げ運転時の外気温度は日によって異なり、前日と当日とで同じ温度であるとは言い切れない。そうすると、動作状態記憶手段２８に値を記憶した時の沸き上げ運転時と、動作状態記憶手段２８に記憶した値に基づいて、圧縮機１４や膨張弁１６や循環ポンプ２０を動作させる代替沸き上げ運転時とで、水冷媒熱交換器１５で熱交換した後の湯水の沸き上げ温度は変わってくる。例えば、代替沸き上げ運転時に入水温度センサ２４で検出する入水温度が動作状態記憶手段２８に記憶した入水温度と同じ値で、代替沸き上げ運転時に外気温度センサ２３で検出する外気温度が動作状態記憶手段２８に記憶した外気温度より高かった場合、代替沸き上げ運転時の沸き上げ温度の方が動作状態記憶手段２８に値を記憶した時の沸き上げ運転時よりも高くなる。よって、動作状態記憶手段２８に記憶した値から離れれば離れる程、前記沸き上げ温度も離れることになり、高温側に離れれば、ヒートポンプユニット３側で高温異常や高圧異常の危険性が生じる。したがって、動作状態記憶手段２８に記憶した深夜時間帯の沸き上げ運転安定時の状態に近い場合にのみ代替沸き上げ運転を継続し、その状態から離れた場合は代替沸き上げ運転を停止することで、器具に異常（例えば、高圧異常等）や故障等の不具合が生じる前に安全な状態で沸き上げ運転を終了させることができるものである。
【００３１】
また、水冷媒熱交換器１５に流入する湯水の入水温度が変化した場合であっても、水冷媒熱交換器１５で熱交換した後の湯水の沸き上げ温度は変わってくる。通常の沸き上げ運転時においては、貯湯タンク２内の湯水の沸き上げが終了に近づくと、水冷媒熱交換器１５に流入する入水温度が上昇してくる。それに合わせて加熱制御手段２６は、沸き上げ温度センサ２５で検出する水冷媒熱交換器１５で加熱された湯水の温度が沸き上げ目標温度になるように圧縮機１４や膨張弁１６や循環ポンプ２０を制御する。前記代替沸き上げ運転時においては、加熱制御手段２６は動作状態記憶手段２８に記憶した値に基づいて沸き上げ運転を制御しており、貯湯タンク２内の湯水の沸き上げが終了に近づいてきて、動作状態記憶手段２８に記憶した入水温度より水冷媒熱交換器１５に流入する入水温度が高くなると、沸き上げ温度も高くなっていく。よって、動作状態記憶手段２８に記憶した値から離れれば離れる程、前記沸き上げ温度も離れることになり、高温側に離れれば、ヒートポンプユニット３側の高温異常や高圧異常の危険性が生じることになる。しかし、前記代替沸き上げ運転を行うような時は、貯湯タンク２内の湯水を最後まで沸き上げる必要がなく、貯湯タンク２内に給湯等に使用できる湯がある程度貯湯できればよい時なので、動作状態記憶手段２８に記憶した深夜時間帯の沸き上げ運転安定時の状態に近い場合にのみ代替沸き上げ運転を継続し、その状態から離れた場合は代替沸き上げ運転を停止することで、器具に異常（例えば、高圧異常等）や故障等の不具合が生じる前に安全な状態で沸き上げ運転を終了させることができるものである。
【００３２】
以上説明した沸き上げ温度センサ２５自体が故障した後に深夜時間帯の沸き上げ運転について、故障判定手段２７により沸き上げ温度センサ２５自体が故障していると判定された場合、加熱制御手段２６は、沸き上げ温度センサ２５が故障する直前の深夜時間帯の沸き上げ運転安定時に動作状態記憶手段２８に記憶した値に基づいて代替沸き上げ運転を行うことで、沸き上げ温度センサ２５が故障する直前の深夜時間帯の沸き上げ運転安定時の動きに習って応急的かつ円滑に沸き上げ運転を行うことができ、朝になって貯湯タンク２に給湯等に使用できる湯がないという事態を回避することができ、ユーザに不便な思いをさせることがないものである。
【００３３】
なお、本発明は、先に説明した一実施形態に限定されるものでなく、本実施形態では、故障判定手段２７により沸き上げ温度センサ２５自体が故障していると判定された後に深夜時間帯の沸き上げ運転が行われる場合に、加熱制御手段２６は、動作状態記憶手段２８に記憶された値に基づいて代替沸き上げ運転を行うようにしたが、深夜時間帯に限らず、昼間時間帯であっても代替沸き上げ運転を行ってもよく、そうすることで、沸き上げセンサ２５の修理が行われるまで、貯湯タンク２に給湯等に使用できる湯がないという事態を抑制することができ、ユーザに不便な思いをさせることがないものである。
【００３４】
また、この一実施形態では、前記ステップＳ４の処理を代替沸き上げ運転中に行っているが、代替沸き上げ運転開始時に行ってもよく、そうすることで、動作状態記憶手段２８に記憶した深夜時間帯の沸き上げ運転安定時の状態に近い場合にのみ代替沸き上げ運転を行い、その状態から離れた場合は代替沸き上げ運転を停止することで、器具に異常（例えば、高圧異常等）や故障等の不具合が生じる前に安全な状態で沸き上げ運転を終了させることができるものである。
【００３５】
また、この一実施形態では、加熱制御手段２６を制御手段として用いたが、貯湯制御手段１３を制御手段としてもよく、また、貯湯制御手段１３と加熱制御手段２６を一つに統合して制御手段を構成するようにしてもよいものである。さらに、故障判定手段２７および動作状態記憶手段２８は加熱制御手段２６が有しているが、これらは貯湯制御手段１３が有していてもよく、また、故障判定手段２７および動作状態記憶手段２８を貯湯制御手段１３や加熱制御手段２６とは別に独立して、貯湯タンクユニット１内またはヒートポンプユニット３内に設けてもよいものである。
【符号の説明】
【００３６】
２  貯湯タンク
３  ヒートポンプユニット
４  循環回路
１４  圧縮機
１５  水冷媒熱交換器
１６  膨張弁
１７  空気熱交換器
１８  ヒートポンプ回路
２０  循環ポンプ
２１  吐出温度センサ
２２  冷媒出口温度センサ
２３  外気温度センサ
２４  入水温度センサ
２５  沸き上げ温度センサ
２６  加熱制御手段
２７  故障判定手段
２８  動作状態記憶手段
【図１】
2011153790.tif 000003
【図２】
2011153790.tif 000004
【図３】
2011153790.tif 000005